(57)【要約】【課題】本発明は、従来技術における、不合理なブリード方式によるＬＥＤディスプレイの表示異常の課題を解決することを目的とし、新規な表示回路及びその制御方法を提供するものである。【解決手段】本発明による表示回路は、電球アレイと、列方向駆動用スイッチアレイと、行方向駆動用スイッチアレイと、一端が電球アレイの行方向にある電球の第２端に接続され、他端が接地されるアノードコモンブリーダ制御回路と、を備え、アノードコモンブリーダ制御回路は、定電流源、ダイオード及び抵抗を含み、ダイオードは、第１端が電球アレイの行方向にある電球の第２端に接続され、第２端が定電流源の第１端に接続され、そして、ダイオードの第２端が抵抗の第１端に接続され、抵抗の第２端と定電流源の第２端とが電源に接続され、定電流源の接地端が接地されている。【選択図】図２
2017167532.tif 000002
【特許請求の範囲】
【請求項１】
電球アレイと、
一端が前記電球アレイの列方向に接続され、他端が接地されており、前記電球アレイの列方向にある電球のオン／オフ制御を行う列方向駆動用スイッチアレイと、
前記電球アレイの行方向にある電球の第１端に接続されており、前記電球アレイの行方向にある電球のオン／オフ制御を行う行方向駆動用スイッチアレイと、
一端が前記電球アレイの行方向にある電球の第２端に接続され、他端が接地されるアノードコモンブリーダ制御回路と、
を備え、
前記アノードコモンブリーダ制御回路は、定電流源、ダイオード及び抵抗を含み、前記ダイオードは、第１端が前記電球アレイの行方向にある電球の第２端に接続され、第２端が前記定電流源の第１端に接続され、そして、前記ダイオードの第２端が前記抵抗の第１端に接続され、前記抵抗の第２端と前記定電流源の第２端とが電源に接続され、前記定電流源の接地端が接地されていることを特徴とする、表示回路。
【請求項２】
前記ダイオードが、ショットキーダイオードであることを特徴とする、請求項１に記載の表示回路。
【請求項３】
前記定電流源の第１端は、それぞれ１つの前記ダイオードが直列接続される複数の出力端を含むことを特徴とする、請求項１に記載の表示回路。
【請求項４】
前記定電流源の第１端は、１６個の前記出力端を含むことを特徴とする、請求項３に記載の表示回路。
【請求項５】
前記電球アレイの１行の電球ごとにそれぞれ１つの前記ダイオードが接続されることを特徴とする、請求項１〜４のうちいずれか一項に記載の表示回路。
【請求項６】
前記電球アレイが、ＬＥＤ電球アレイであることを特徴とする、請求項１に記載の表示回路。
【請求項７】
前記列方向駆動用スイッチアレイが、定電流ＩＣを含むことを特徴とする、請求項１に記載の表示回路。
【請求項８】
前記行方向駆動用スイッチアレイが、ＭＯＳアレイを含むことを特徴とする、請求項１に記載の表示回路。
【請求項９】
請求項１〜８のうちいずれか一項に記載の表示回路の制御方法であって、前記表示回路は、電球アレイと、アノードコモンブリーダ制御回路とを備え、
前記制御方法は、
前記電球アレイにおいて、それぞれ前記電球アレイの任意の一行の電球であり順に表示される第一行の電球と第二行の電球とのうち、前記第一行の電球がオフされかつ前記第二行の電球が点灯状態にある場合、前記アノードコモンブリーダ制御回路をオンに制御して、前記第一行の電球がある回路を放電させることと、
前記第二行の電球が前記点灯状態から消灯状態へと変わったか否かを判定することと、
前記第二行の電球が前記点灯状態から消灯状態へと変わったと判定されていれば、前記アノードコモンブリーダ制御回路をオフに制御することと、
を含むことを特徴とする、制御方法。
【請求項１０】
前記第二行の電球が前記点灯状態から消灯状態へと変わったか否かを判定することは、
前記アノードコモンブリーダ制御回路のオン／オフ制御を行うための制御時系列を取得することと、
前記制御時系列における前記アノードコモンブリーダ制御回路がオンされることを示す第１制御時系列信号を検出し、且つ前記制御時系列における前記アノードコモンブリーダ制御回路がオフされることを示す第２制御時系列信号を検出することと、
前記制御時系列が前記第１制御時系列信号から前記第２制御時系列信号に変更したことから、前記第二行の電球が前記点灯状態から前記消灯状態へと変わったと判定することと、
を含むことを特徴とする、請求項９に記載の制御方法。
【発明の詳細な説明】
【技術分野】
【０００１】
本発明は、回路分野に関し、具体的には、表示回路及びその制御方法に関するものである。
【背景技術】
【０００２】
現在、ファインピッチＬＥＤテレビは、多様な公衆情報表示分野、例えば、ホテルのロビー、空港、映画館、病院等での情報公告、企業イメージ宣伝、博物館での文化遺物展覧のために、そして、会議室、事務所、デパート、ホール等の屋内場所に広く応用されていく中、次世代のファインピッチＬＥＤテレビは家庭用進化を遂げている。
【０００３】
従来のＬＥＤテレビの表示回路は、ＬＥＤ電球アレイ、列方向駆動用スイッチアレイ、行方向駆動用スイッチアレイおよびブリーダ回路から構成される。ＬＥＤ電球アレイは、画像表示の機能を担う。列方向駆動用スイッチアレイは、主として定電流ＩＣからなり、アノードコモンＬＥＤ電球のカソードピンを制御する機能を担う。行方向駆動用スイッチアレイは、主としてＭＯＳアレイからなり、アノードコモンＬＥＤ電球のアノードを制御する機能を担う。ブリーダ回路は、抵抗直列接続ツェナーダイオードかならり、余剰電力をブリードする機能を担う。
【０００４】
ＬＥＤ電球アレイは頻繁にオン／オフされることがあり、オフされた期間に余剰電力が回線に残り、ＬＥＤをオフする中、ＬＥＤ電球アレイがこれら余剰電力により点灯されることになるため、ブリーダ回路を用いてこの分の電力をブリードする必要がある。図１は、従来技術におけるブリーダ回路を示す図である。
【０００５】
発明者は、従来のブリーダ回路に少なくとも以下の問題が存在することを発見した。
【０００６】
正常な場合には、ＬＥＤは、定電流源を介して対地間で経路が形成され、従来のブリード方式によれば、ＬＥＤがショートした後、他の列の電球をオンする中、該ショートしたＬＥＤにより、ツェナーダイオードと抵抗を介して対地間でブリーダ経路が形成され、オンされたＬＥＤ電球を通る電流が正常な場合より大きくなり、該列の電球の輝度が高まり、ＬＥＤテレビの表示異常が発生し、つまり、通常でいうショートキャタピラ現象が発生する。
【０００７】
上記問題について、未だに有効な対応策が提示されていない。
【発明の概要】
【発明が解決しようとする課題】
【０００８】
本発明の実施形態は、従来技術における、不合理なブリード方式に起因するＬＥＤディスプレイの表示異常の課題を少なくとも解決する表示回路及びその制御方法を提供する。
【課題を解決するための手段】
【０００９】
本発明の実施形態の一態様によれば、表示回路が提供され、前記表示回路は、電球アレイと、一端が前記電球アレイの列方向に接続され、他端が接地されており、前記電球アレイの列方向にある電球のオン／オフ制御を行う列方向駆動用スイッチアレイと、前記電球アレイの行方向にある電球の第１端に接続されており、前記電球アレイの行方向にある電球のオン／オフ制御を行う行方向駆動用スイッチアレイと、一端が前記電球アレイの行方向にある電球の第２端に接続され、他端が接地されるアノードコモンブリーダ制御回路と、を備え、前記アノードコモンブリーダ制御回路は、定電流源、ダイオード及び抵抗を含み、前記ダイオードは、第１端が前記電球アレイの行方向にある電球の第２端に接続され、第２端が前記定電流源の第１端に接続され、そして、前記ダイオードの第２端が前記抵抗の第１端に接続され、前記抵抗の第２端と前記定電流源の第２端とが電源に接続され、前記定電流源の接地端が接地されている。
【００１０】
さらに、前記ダイオードが、ショットキーダイオードである。
【００１１】
さらに、前記定電流源の第１端は、それぞれ１つの前記ダイオードが直列接続される複数の出力端を含む。
【００１２】
さらに、前記定電流源の第１端は、１６個の前記出力端を含む。
【００１３】
さらに、前記電球アレイの１行の電球ごとにそれぞれ１つの前記ダイオードが接続される。
【００１４】
さらに、前記電球アレイが、ＬＥＤ電球アレイである。
【００１５】
さらに、前記列方向駆動用スイッチアレイが、定電流ＩＣを含む。
【００１６】
さらに、前記行方向駆動用スイッチアレイが、ＭＯＳアレイを含む。
【００１７】
本発明の実施形態の他の一態様によれば、表示回路の制御方法が提供され、前記制御方法は、前記電球アレイにおいて、それぞれ前記電球アレイの任意の一行の電球であり順に表示される第一行の電球と第二行の電球とのうち、前記第一行の電球がオフされ、かつ前記第二行の電球が点灯状態にある場合、前記アノードコモンブリーダ制御回路をオンに制御して、前記第一行の電球がある回路を放電させることと、前記第二行の電球が前記点灯状態から消灯状態へと変わったか否かを判定することと、前記第二行の電球が前記点灯状態から消灯状態へと変わったと判定されていれば、前記アノードコモンブリーダ制御回路をオフに制御することと、を含む。
【００１８】
さらに、前記第二行の電球が前記点灯状態から消灯状態へと変わったか否かを判定することは、前記アノードコモンブリーダ制御回路のオン／オフ制御を行うための制御時系列を取得することと、前記制御時系列における前記アノードコモンブリーダ制御回路がオンされることを示す第１制御時系列信号を検出し、且つ前記制御時系列における前記アノードコモンブリーダ制御回路がオフされることを示す第２制御時系列信号を検出することと、前記制御時系列が前記第１制御時系列信号から第２制御時系列信号に変更したことから、前記第二行の電球が前記点灯状態から前記消灯状態へと変わったと判定することと、を含む。
【発明の効果】
【００１９】
本発明の実施形態において、表示回路は、電球アレイと、一端が前記電球アレイの列方向に接続され、他端が接地されており、前記電球アレイの列方向にある電球のオン／オフ制御を行う列方向駆動用スイッチアレイと、前記電球アレイの行方向にある電球の第１端に接続されており、前記電球アレイの行方向にある電球のオン／オフ制御を行う行方向駆動用スイッチアレイと、一端が前記電球アレイの行方向にある電球の第２端に接続され、他端が接地されるアノードコモンブリーダ制御回路と、を備え、前記アノードコモンブリーダ制御回路は、定電流源、ダイオード及び抵抗を含み、前記ダイオードは、第１端が前記電球アレイの行方向にある電球の第２端に接続され、第２端が前記定電流源の第１端に接続され、そして、前記ダイオードの第２端が前記抵抗の第１端に接続され、前記抵抗の第２端と前記定電流源の第２端とが電源に接続され、前記定電流源の接地端が接地されている。
【００２０】
行方向駆動用スイッチアレイが電球アレイの一行をオンして表示させる場合、前回オンされた電球の行にある行方向駆動用スイッチアレイは、前回オンされた電球の行をオフすると共に、前回オンされた電球の行の残存電力、及び回りの回線を前回オンされた電球の行に結合する際の電力を放電する。放電開始タイミング、放電時間長、終了タイミング、及び放電電力は、いずれもバランスを取るまで、ソフトウェアにより対応して調整されることができ、これにより、ファインピッチＬＥＤテレビの適応的放電を図ることができるだけでなく、ブリーダ回路の消費電力を低減し、ＬＥＤディスプレイに出たゴースト現象を除去することもでき、そのうえ、ディスプレイの表示効果をより優れたものにし、従来技術における、不合理なブリード方式によるＬＥＤディスプレイの表示異常の課題を解決する。
【００２１】
ここで説明する図面は、本発明をさらに理解させるためのものであり、本願の一部を構成し、また、本発明における概念的実施形態及びその説明は本発明を説明するものであり、本発明を不当に限定するものではない。
【図面の簡単な説明】
【００２２】
【図１】従来技術におけるブリーダ回路を示す図である。
【図２】本発明の実施形態による表示回路の構造ブロック図である。
【図３】本発明の実施形態によるアノードコモンブリーダ回路を示す図である。
【図４】本発明の実施形態による表示回路の制御方法のフローチャートである。
【発明を実施するための形態】
【００２３】
本発明の構成を当業者によりよく理解してもらうように、以下、本発明の実施形態における図面を結合しながら本発明の実施形態の技術案を明瞭かつ完全に説明する。説明する実施形態は本発明の実施形態の一部に過ぎず、全部ではないことは、言うまでもないことである。当業者が本発明の実施形態に基づいて、創造的な労働無しに得られる他の実施形態も、全て本発明の保護範囲内に含まれるべきである。
【００２４】
なお、本発明の明細書及び特許請求の範囲並びに上記図面に言及された「第１」、「第２」等の用語は、類似した対象を区別するためのものであり、特定の順番又は前後順序を説明するためのものではない。ここで説明する本発明の実施形態をここで示した又は説明した順番以外の順番で実施可能なものにするために、このように使用された数字は適した場合であれば互いに取り替え可能なことは、理解されるべきである。また、用語である「含む」、「有する」及びそれらの如何なる変形は、排他的にならずに含まれたものをカバーすることがその意図であり、例えば、一連のステップ又はユニットを含めたプロセス、方法、システム、製品又は機器は、明確に示したステップ又はユニットに限定される必要がなく、これらのプロセス、方法、製品又は機器に対して明確に示していなかったり、固有であったりする他のステップ又はユニットを含むことができる。
【００２５】
まず、本発明の実施形態に係わる技術的用語を以下のように定義する。
【００２６】
ファインピッチＬＥＤテレビ：ＬＥＤドットピッチがＰ２．５以下であるＬＥＤテレビのことをいい、ファインピッチＬＥＤテレビのディスプレイは、主として、Ｐ２．５，Ｐ２．０，Ｐ１．８又はＰ１．５等のものがある。
【００２７】
ショットキーダイオード：ショットキーバリアダイオード（Schottky Barrier Diode）とも呼ばれる。ショットキーダイオードは、Ｐ型半導体とＮ型半導体とが接することでＰＮ接合が形成される原理により作成されたものではなく、金属と半導体とが接することで金属−半導体の接合が形成される原理により作成されたものである。ショットキーダイオードは、スイッチング周波数が高く、順方向電圧降下が低い等の特長を持つ。
【００２８】
図２は、本発明の実施形態による表示回路の構造ブロック図であり、図２に示すように、該表示回路は、電球アレイ１０と、列方向駆動用スイッチアレイ２０と、行方向駆動用スイッチアレイ３０と、アノードコモンブリーダ制御回路４０と、を備える。ＶＬＥＤは、行方向駆動用スイッチアレイ３０が接続する電源である。
【００２９】
列方向駆動用スイッチアレイは、一端が電球アレイの列方向に接続され、他端が接地されており、電球アレイの列方向にある電球のオン／オフ制御を行うためのものである。
【００３０】
行方向駆動用スイッチアレイは、電球アレイの行方向にある電球の第１端に接続されており、電球アレイの行方向にある電球のオン／オフ制御を行うためのものである。
【００３１】
アノードコモンブリーダ制御回路は、一端が電球アレイの行方向にある電球の第２端に接続され、他端が接地されており、定電流源、ダイオード、及び抵抗を含み、ダイオードは、第１端が電球アレイの行方向にある電球の第２端に接続され、第２端が定電流源の第１端に接続され、そして、ダイオードの第２端が抵抗の第１端に接続され、抵抗の第２端と定電流源の第２端とが電源に接続され、定電流源の接地端が接地されている。
【００３２】
定電流源とダイオードとでブリーダ用経路が構成され、ダイオードの単方向導電性は、定電流源ＩＣを保護するように機能することもできる。
【００３３】
抵抗は、定電流源ＩＣのブリーダ経路を素ばやく導通させ、定電流源の出力を連続して行うことができるとともに、定電流源の出力端の電圧変動を軽減することができる。
【００３４】
電球アレイは、画像表示を行うことができる。電球アレイがＬＥＤ電球アレイであってもよい。ファインピッチＬＥＤテレビは、ＬＥＤ電球のオン制御期間を時分割に順番に切り替えることで、画面の動的表示を実現するものであり、行方向駆動用スイッチアレイが電球アレイの一行をオンして表示させる場合、前回オンされた電球の行にある行方向駆動用スイッチアレイは、前回オンされた電球の行をオフすると共に、前回オンされた電球の行の残存電力、及び回りの回線を前回オンされた電球の行に結合する際の電力を放電する。放電開始タイミング、放電時間長、終了タイミング、及び放電電力は、いずれもバランスを取るまで、ソフトウェアにより対応して調整されることができ、これにより、ファインピッチＬＥＤテレビの適応的放電を図ることができるだけでなく、ブリーダ回路の消費電力を低減し、ＬＥＤディスプレイに出たゴースト現象を除去することもでき、そのうえ、ディスプレイの表示効果をより優れたものにする。
【００３５】
例えば、行方向駆動用スイッチアレイが電球アレイのｒ３行目をオンして表示させる場合、前回オンされた電球のｒ２行目にある行方向駆動用スイッチアレイは、ｒ２行目の電球をオフすると共に、ｒ２行目の残存電力、及び回りの回線をｒ２行目に結合した電力を放電し、ｒ２行目とｒ３行目それぞれが電球アレイの任意の一行であり、ｒ２行目とｒ３行目とを順に表示させる。
【００３６】
時系列を制御することで、放電開始タイミングと放電終了タイミングを調整し、最適な放電タイミング及び最適な放電時間長を決めることができる一方、放電電流の大きさを制御して、放電電力が最適値に達するようにすることができ、このように、放電時間長、放電開始タイミング、放電終了タイミング、及び放電電力という４つの方面をまとめて、ブリーダ効果を最適化する。プログラムによる制御を行うことで、過放電や誤放電を回避することができ、ＬＥＤテレビの表示効果をより優れたものにする。
【００３７】
オプションとして、電球アレイがＬＥＤ電球アレイであってもよい。オプションとして、列方向駆動用スイッチアレイは、定電流ＩＣを含んでもよい。オプションとして、行方向駆動用スイッチアレイは、ＭＯＳアレイを含んでもよい。ダイオードがショットキーダイオードであってもよく、ショットキーダイオードが順方向電圧降下が低いとの特長を持つため、ショットキーダイオードを用いることで、ブリーダにおける消費電力の低減を図ることができる。
【００３８】
図３は、本発明の実施形態によるアノードコモンブリーダ回路を示す図である。図３に示すように、アノードコモンブリーダ制御回路４０は、定電流源ＩＣと、ダイオードＤと、抵抗Ｒとを含み、ダイオードは、第１端が電球アレイの行方向にある電球の第２端に接続され、第２端が定電流源の第１端に接続されており、そして、ダイオードの第２端が抵抗の第１端に接続され、抵抗の第２端と定電流源の第２端とが電源に接続され、定電流源の接地端が接地されている。
【００３９】
オプションとして、定電流源は、それぞれダイオードが接続される複数の出力端を有してもよく、ダイオードの数が定電流源の出力端と同等数である。オプションとして、定電流源の出力端の数が電球アレイの行数と同等数であってもよい。
【００４０】
オプションとして、定電流源の第１端が１６個の出力端を含んでもよい。即ち、電球アレイの行数が１６である場合、定電流源の出力端の数が１６になる。図３に示すように、ＶＣＣＬ０〜ＶＣＣＬ１５がそれぞれ電球アレイの１６行を表し、ＯＵＴ０〜ＯＵＴ１５がそれぞれ定電流源の１６個の出力端を表す。
【００４１】
ファインピッチＬＥＤテレビは、動的走査により画像表示を実現するものである。前の行の電球がオフされたタイミングにて、アノードコモンブリーダ回路に対して当該行の回線を次の行がオフされたタイミングまで放電させるように制御し、放電開始タイミング、放電時間長、終了タイミング、及び放電電力は、いずれもバランスを取るまで、ソフトウェアにより対応して調整されることができ、これにより、ファインピッチＬＥＤテレビの適応的放電を図ることができるだけでなく、ブリーダ回路の消費電力を低減し、ＬＥＤディスプレイに出たゴースト現象を除去することもでき、そのうえ、ディスプレイの表示効果をより優れたものにする。
【００４２】
本発明の実施形態によれば、表示回路の制御方法の実施形態が提供され、なお、図面のフローチャートに示したステップを、例えば、コンピュータが実行可能な１グループの命令によるコンピュータシステムで実行することができ、そして、フローチャートに論理的順序が示されているが、場合によって、示した又は説明したステップをここでの順序とは異なって実行することもできる。
【００４３】
図４は、本発明の実施形態による表示回路の制御方法のフローチャートであり、図４に示すように、該方法は、以下のステップＳ１０２〜ステップＳ１０６を含む。
【００４４】
ステップＳ１０２：電球アレイにおいて、それぞれ電球アレイにおける任意の一行の電球であり順に表示される第一行の電球と第二行の電球とのうち、第一行の電球がオフされ、かつ第二行の電球が点灯状態にある場合、アノードコモンブリーダ制御回路をオンに制御して、第一行の電球がある回路を放電させる。
【００４５】
ステップＳ１０４：第二行の電球が点灯状態から消灯状態へと変わったか否かを判定する。
【００４６】
ステップＳ１０６：第二行の電球が点灯状態から消灯状態へと変わったと判定されていれば、アノードコモンブリーダ制御回路をオフに制御する。
【００４７】
第一行の電球がオフされ、かつ第二行の電球が点灯される場合、アノードコモンブリーダ制御回路をオンして、第一行の電球に残った電力を放電し、そして、第二行の電球が点灯から消灯へと変わった場合、アノードコモンブリーダ制御回路をオフに制御し、第一行の電球の放電を完了させ、これにより、ブリーダ回路の合理的な制御を実現し、従来技術における、不合理なブリーダ方式に起因するＬＥＤディスプレイの表示異常の課題を解決し、ディスプレイの表示効果をより優れたものにする技術的効果を達成している。
【００４８】
オプションとして、第二行の電球が点灯状態から消灯状態へと変わったか否かを判定するステップは、アノードコモンブリーダ制御回路のオン／オフ制御を行うための制御時系列を取得するステップと、制御時系列におけるアノードコモンブリーダ制御回路がオンされることを示す第１制御時系列信号を検出するとともに、制御時系列におけるアノードコモンブリーダ制御回路がオフされることを示す第２制御時系列信号を検出するステップと、制御時系列が第１制御時系列信号から第２制御時系列信号に変更したことから、第二行の電球が点灯状態から消灯状態へと変わったと判定するステップと、を含む。
【００４９】
第１制御時系列信号は、アノードコモンブリーダ制御回路がオンされることを示す信号であり、第２制御時系列信号は、アノードコモンブリーダ制御回路がオフされることを示す信号である。制御時系列が第１制御時系列信号から第２制御時系列信号に変更した場合、第二行の電球が点灯状態から消灯状態へと変わったことが分かり、この場合、第一行の電球の放電が完了する。
【００５０】
電球アレイは、画像表示を行うことができる。電球アレイがＬＥＤ電球アレイであってもよい。ファインピッチＬＥＤテレビは、ＬＥＤ電球のオン制御期間を時分割に順番に切り替えることで、画面の動的表示を実現するものであり、行方向駆動用スイッチアレイが電球アレイの一行をオンして表示させる場合、前回オンされた電球の行にある行方向駆動用スイッチアレイは、前回オンされた電球の行をオフすると共に、前回オンされた電球の行の残存電力、及び回りの回線を前回オンされた電球の行に結合する際の電力を放電する。放電開始タイミング、放電時間長、終了タイミング、及び放電電力は、いずれもバランスを取るまで、ソフトウェアにより対応して調整されることができ、これにより、ファインピッチＬＥＤテレビの適応的放電を図ることができるだけでなく、ブリーダ回路の消費電力を低減し、ＬＥＤディスプレイに出たゴースト現象を除去することもでき、そのうえ、ディスプレイの表示効果をより優れたものにする。
【００５１】
上述した本発明の実施形態の番号はあくまでも説明のためのものであり、実施形態の優劣を示すものではない。
【００５２】
本発明の上述した実施形態において、それぞれの実施形態ごとに異なる構成に主眼を置いて説明しているが、ある実施形態で詳しく説明されていない部分については、他の実施形態における関連説明を参照することができる。
【００５３】
本発明で提供されたいくつかの実施形態において、開示された技術的内容を他の方式で実現してもよいことは、理解されるべきである。以上で説明した装置実施形態は概略的なものに過ぎず、例えば、上記ユニットの分類は、論理的機能による分類であってもよいし、実際の実現にあたり他の分類方式を用いてもよく、例えば、複数のユニットまたはアセンブリを組み合わせたり、他のシステムに集積したりすることができ、或いは、一部の構成を省略するか実行しなくてもよい。また、表示された或いは検討されたお互いの間での結合または直接結合または通信接続を、若干のインターフェースによって実現することができ、ユニットまたはモジュールの間接結合または通信接続を、電気的または他の形で実現することができる。
【００５４】
上述の分離した部材として説明したユニットは、物理的に分離したものであってもよいし、物理的に分離したものでなくてもよく、ユニットとして表す部材は、物理的ユニットであってもよいし、物理的ユニットでなくてもよく、つまり、同一場所に配置されてもよいし、複数のユニットに分布されてもよい。実際のニーズに応じて、ユニットの一部または全部により本実施形態の構成の目的を達成することができる。
【００５５】
また、本発明の各実施形態における個々の機能ユニットは、１つの処理ユニットに集積されてもよいし、それぞれのユニットごとに物理的に存在してもよく、或いは、２つ以上のユニットが１つのユニットに集積されてもよい。上記集積したユニットは、ハードウェアの形で実現されてもよいし、ソフトウェア機能ユニットの形で実現されてもよい。
【００５６】
上記集積したユニットは、ソフトウェア機能ユニットの形で実現されながら独立した製品として販売されまたは使用される場合、コンピュータ読み取り可能な記憶媒体に記憶されることができる。このように理解すれば、本発明の技術案は、本質的には、従来技術に貢献する部分、或いは、該技術案の全部または一部をソフトウェア製品の形で表現することができ、該コンピュータソフトウェア製品は、コンピュータ機器（パソコン、サーバまたはネットワーク機器等であってもよい）に本発明の各実施形態に記載の方法手順の全部または一部を実行させるための若干の命令を含む記憶媒体に記憶される。上記記憶媒体は、Ｕディスク、リードオンリーメモリ（ＲＯＭ、Read-Only Memory）、ランダムアクセスメモリ（ＲＡＭ、RandomAccess Memory）、ポータブルハードディスク、磁気ディスクまたは光ディスク等、様々なプログラムのコードを記憶可能な媒体を含む。
【００５７】
以上、本発明の好適な実施形態のみについて説明したが、当業者であれば、本発明の原則から逸脱しない前提において若干の改良や手直しが可能であることは指摘されるべきである。これら改良や手直しも、本発明の保護範囲内に含まれるべきである。
【符号の説明】
【００５８】
１０…電球アレイ、２０…列方向駆動用スイッチアレイ、３０…行方向駆動用スイッチアレイ、４０…アノードコモンブリーダ制御回路。
【図１】
2017167532.tif 000003
【図２】
2017167532.tif 000004
【図３】
2017167532.tif 000005
【図４】
2017167532.tif 000006